(57)【要約】      （修正有）【課題】鯛カブラなどの仕掛けにおいて、ラバーやネクタイといった擬餌を容易に変更することができる魚釣り仕掛けにおける擬餌ストッパ構造を提供する。【解決手段】天然ゴム、シリコンゴムなどの合成ゴムといった柔軟な弾性素材によってストッパ１を形成する。ストッパ１は、中心に貫通孔を穿設し、この貫通孔に複数本の糸で構成されるラインを挿通する。ライン２には一部に結び目などの係止部３を形成し、係止部３とストッパ１の間の複数本の糸の間に、糸状のラバー４ａ、扁平なネクタイ４ｂなどの擬餌４を挿入し、ストッパ１を係止部方向に移動させることによって擬餌４をストッパ１と係止部３で挟持する。ストッパ１は、ラインとストッパの摩擦抵抗によって擬餌を保持する。【選択図】図２
0003205903.tif 000002
【実用新案登録請求の範囲】
【請求項１】
天然ゴム、シリコンゴムなどの合成ゴムといった柔軟な弾性素材によって形成し、中心に貫通孔を穿設したストッパに複数本の糸で構成されるラインを挿通し該ラインの一部に結び目などの係止部を形成し、該係止部とストッパの間の複数本の糸の間に、糸状のラバー、扁平なネクタイなどの擬餌を挿入し、ストッパを係止部方向に移動させることによって係止部とストッパの間に擬餌を挟持し、ストッパは貫通孔におけるラインとの摩擦抵抗によって移動が阻止されてライン上に擬餌を保持することを特徴とする魚釣り仕掛けにおける擬餌ストッパ構造。
【請求項２】
複数本の糸で構成されるラインに中通し錘を挿通し、該中通し錘の重量によってストッパを係止部方向に押圧することを特徴とする請求項１記載の魚釣り仕掛けにおける擬餌ストッパ構造。
【請求項３】
ストッパ底面に凹所を形成し、係止部によって押し上げられた擬餌が前記凹所に押圧されて保持されることを特徴とする１又は２記載の魚釣り仕掛けにおける擬餌ストッパ構造。
【請求項４】
複数本の糸で構成されるライン上に複数のストッパを装着し、複数のストッパとラインの抵抗によって擬餌を係止させることを特徴とする請求項１ないし３のいずれかに記載の魚釣り仕掛けにおける擬餌ストッパ構造。
【請求項５】
ライン上に複数のストッパを装着し、係止部とストッパ及びストッパとストッパの複数位置において、複数本の糸の間に擬餌を挿入しラインの複数位置において擬餌を保持させる請求項４記載の魚釣り仕掛けにおける擬餌ストッパ構造。
【請求項６】
ライン上に装着する複数のストッパの上面形状を略円錐形もしくは球面といった裾広がり形状とし、該ストッパの上面形状に沿ってライン上に保持される擬餌が裾広がり状態に装着されることを特徴とする請求項４記載の魚釣り仕掛けにおける擬餌ストッパ構造。
【考案の詳細な説明】
【技術分野】
【０００１】
鯛カブラと称される鯛釣用ルアー仕掛けなど、魚釣り用仕掛けには、扁平なエラストマで形成される糸状のラバー、あるいは幅のあるネクタイと呼ばれる擬餌をライン上に保持させて仕掛け(ルアー)を形成するものがある。
本考案は、上記ライン上に擬餌を保持させる魚釣り仕掛けにおける擬餌ストッパ構造に関する考案である。
【背景技術】
【０００２】
主として、鯛カブラと称されるような、タイ釣り用のルアー仕掛けには、糸巻形状のプラグに、柔軟な素材で形成されるスカートやネクタイといった擬餌を予め束ねて装着しておき、このプラグをラインに挿通してヘッドに装着して使用するする思想が特許文献１に開示されている。
特許文献２には、ラインに二つのゴム管を挿通しておき、結束バンドで束ねた擬餌(ラバー、スカート)をラインに挿通するとともに、樹脂ピンを結束バンドに通して一体化し、結束ピンの両端をゴム管に挿入することで擬餌をハリス(ライン)上の所望位置に固定する構造が開示されている。すなわち、結束バンドで束ねた擬餌をゴム管でライン上に締付け固定するものである。
【０００３】
特許文献３には、ジグヘッドにハリス連結部を突出形成する一方、ハリスに弾性管体を挿入し、ハリスの一端を前記ハリス連結部に連結するとともに、弾性管体に細長状の擬餌を挿通しておき、弾性管体を前記ジグヘッドのハリス連結部に移動させることによって擬餌をハリス連結部に取付ける構造が開示されている。
【先行技術文献】
【特許文献】
【０００４】
【特許文献１】特開２０１５−３９３５２号公報
【特許文献２】特開２０１４−２１７３３４号公報
【特許文献３】特開２００８−５４５３９号公報
【考案の概要】
【考案が解決しようとする課題】
【０００５】
特許文献１に開示されるスカートやネクタイといった擬餌を予め束ねて装着したプラグをラインに挿通するものでは、擬餌の種類や色などを変更しようとする場合は、ラインを切断した上で所望の擬餌を装着したプラグをラインに挿入する必要があり、容易に擬餌を変更することができない。
特許文献２に記載された、結束バンドで束ねた擬餌(ラバー、スカート)をラインに挿通しておき、結束ピンの両端をゴム管に挿入することで擬餌をハリスの所望位置に固定するものでは、ラインを切断することなく擬餌を変更することは困難であるとともに、束ねた擬餌の一端をゴム管で締付けることになるため、装着された擬餌は水中での広がりが制限されることになる。特に、鯛を対象とする鯛カブラでは、擬餌の広がりに鯛が興趣を引かれる傾向があり釣果に劣る傾向がある。
【０００６】
特許文献３に記載された弾性管体に擬餌を挿入しておき、弾性管体をジグヘッドのハリス連結部に装着するものでは、管体に全ての擬餌を挿通させておく必要があり、装着できる擬餌の量や大きさに制限があるとともに、装着した擬餌は擬餌として好ましい広がりを実現することができない欠点がある。
上記従来技術の欠点に鑑み、本考案は、ラインを切断せずに擬餌の取り換えを容易に行うことができるとともに、装着した擬餌が水中において擬餌として水流を自然につかみ、好ましい広がり姿勢、その他擬餌の多彩な変化を可能とする、魚釣り仕掛けにおける擬餌ストッパ構造を実現することを目的とするものである。
【考案の開示】
【課題を解決するための手段】
【０００７】
請求項１記載の考案は、天然ゴム、シリコンゴムなどの合成ゴムといった柔軟な弾性素材によって形成し、中心に貫通孔８を穿設したストッパ１に複数本の糸2a、2bで構成されるライン２を挿通し該ライン２の一部に結び目などの係止部３を形成する。この、係止部３とストッパ１の間において複数本の糸2a、2bの間に、幅の狭い糸状のラバー4a、や扁平なネクタイ4bなどの擬餌４を挿入する。その状態で、ストッパ１を係止部３方向に移動させることによって係止部３とストッパ１の間に擬餌４を挟持し、ストッパ１は貫通孔８におけるラインとの摩擦抵抗によって移動が阻止されてライン上に擬餌を保持する魚釣り仕掛けにおける擬餌ストッパ構造である。
【０００８】
請求項２記載の考案は、請求項１記載の声案を実施する上において、複数本の糸2a、2bで構成されるライン２に中通し錘５を挿通し、この中通し錘５の重量によってストッパ１を係止部方向に押圧することである。
請求項３記載の考案は、ストッパ１底面に凹所６を形成し、係止部３によって押し上げられた擬餌４が前記凹所６に押圧されて保持されることである。
請求項４記載の考案は、複数本の糸2a、2bで構成されるライン２上に複数のストッパ１、１を装着し、複数のストッパ１、１とライン２の抵抗によって擬餌をライン２上に保持させることである。
【０００９】
請求項５記載の考案は、ライン２上に複数のストッパ１、１を装着し、係止部３とストッパ１及びストッパ１とストッパ１の間といった複数位置において、複数本の糸2a、2bの間に擬餌４を挿入し、ライン２の複数位置に擬餌４を保持させることである。
請求項６記載の考案は、ライン２上に装着する複数のストッパ１、１の上面形状を略円錐形もしくは球面といった裾広がり形状とし、該ストッパ１の上面形状に沿ってライン２上に保持される擬餌４が裾広がり状態に装着されるようにすることである。
【考案の効果】
【００１０】
請求項１記載の本考案魚釣り仕掛けにおける擬餌ストッパ構造によれば、ストッパ１に複数本の糸2a、2bで構成されるライン２を挿通し、複数本の糸2a、2bの間に、糸状のラバー4a、すなわち、幅の狭い擬餌や扁平なネクタイ4bなどの擬餌４を挿入し、ストッパ１を係止部３方向に移動させる簡単な構造で、ライン２とストッパ１の摩擦抵抗によって、ストッパの移動を阻止し、擬餌４をライン上に保持させることができる。
擬餌を変更しようとする場合は、ストッパ１を係止部３から遠ざける方向に移動させ、複数本の糸2a、2bの間に任意所望の擬餌を迅速に挿通し、ストッパ１を係止部方向に移動させるといった、簡単な操作によって擬餌を変更することができる。すなわちライン２を切断することなく、必要に応じて迅速に擬餌４を変更することができる。
また、ストッパ１によって押圧されるラバーやネクタイといった擬餌は、水中において外向きに広がるように装着することができ、水流が絡むことにより擬餌効果の高い仕掛けを実現することができる。
【００１１】
請求項２記載の考案によれば、複数本の糸2a、2bで構成されるライン２に中通し錘５を挿通し、この中通し錘５の重量によってストッパ１を係止部方向に押圧することによって、ストッパ１による擬餌の保持力が向上し、不用意に擬餌が脱落することがないように、よりしっかりと保持することができる。図示中通し錘５は、通常ジグヘッドやヘッドと呼ばれる錘に相当し、この種仕掛けにおいて重要な機能を果たすものでもある。
【００１２】
請求項３記載の考案によれば、ストッパ１によって押圧される擬餌が、ストッパ底面の凹所６において押圧されることになるため、該凹所にしっかりと保持される。すなわち、ストッパ１の凹所６と擬餌４の接触によって抵抗が増加し、擬餌を安定的に保持することができる。
【００１３】
請求項４記載の考案によれば、ライン２上に複数のストッパ１、１を装着し、複数のストッパ１、１とライン２の抵抗によって擬餌４を保持させるため、擬餌４をより安定的に保持させることができる。
請求項５記載の考案によれば、前記ライン２上に複数のストッパ１を装着するものにおいて、係止部３とストッパ１及びストッパ１とストッパ１の複数位置において、糸2a、2bの間に擬餌４を挿入するため、ライン上に多くの擬餌を保持させ、変化に富んだ仕掛け(ルアー)を実現することができる。すなわち、種々の条件、対象魚、釣り人の好みなどに応じて、より変化に富んだ仕掛け(ルアー)を実現することができる。
【００１４】
請求項６記載の考案によれば、ライン２上に装着する複数のストッパ１、１の上面形状を略円錐形もしくは球面といった裾広がり形状とするため、ライン上に保持した擬餌は、ストッパ１の上面形状に沿って擬餌４が裾広がり状態に装着される効果がある。特に、ストッパ１の底面に凹所６を形成し、ライン上に複数のストッパ１、１を装着し、ストッパの上面とストッパ凹所とで擬餌４を挟持させるものでは、下位置のストッパの上面と、上位置のストッパの凹所が嵌まり込むような態様で押圧され、よりしっかりと保持されるとともに、水中におけるラバーやリボンといった擬餌の広がり状態をより安定的に保持することができる特長がある。
【図面の簡単な説明】
【００１５】
【図１】図１は、本考案に係る擬餌ストッパ構造を実施する魚釣り仕掛けの正面図、
【図２】図２は、擬餌を装着する状態を示す、図１の魚釣り仕掛けの正面図、
【図３】図３は、ストッパによって擬餌を係止させる部分の拡大図、
【図４】図４は、ライン上に複数のストッパを装着する魚釣り仕掛けの実施形態を示す部分拡大図、
【図５】図５は、ストッパの一例を示す斜視図及び縦断面図、
【図６】図６は、ストッパの変形例を示す縦断面図、
【図７】図7は、ストッパの別の実施形態を示す正面図。
【考案を実施するための最良の形態】
【００１６】
以下、本考案に係る魚釣り仕掛けにおける擬餌ストッパ構造の実施形態を、添付の図面に基づいて説明する。
図１は、本考案を鯛カブラと称される鯛釣用の仕掛け(ルアー)に実施した実施形態を示す正面図、図２は図１の仕掛けにおいて、擬餌を装着する状態を示す正面図である。
【００１７】
図１に示す仕掛け(ルアー)は、長い糸を折り返して二本の糸2a、2bで形成されるライン２とし、その中間部に結び目によって係止部３を形成し、二本の糸2a、2bの係止部よりも先方をハリスとし、先端に針７を取り付けている。ライン２には、ストッパ１と中通し錘５を挿通するとともに、係止部３とストッパ１の間に糸状のラバー4aやネクタイ4bと称される擬餌４を保持させている。
【００１８】
ストッパ１は、天然ゴムや、シリコンゴムなどの合成ゴムといった弾性部材によって形成する。ストッパの具体的形状は任意であるが、一例として図５に示すように略円錐形の笠形、すなわち上面を裾広がりの形状に成型している。この実施形態のストッパは、図５(ｂ)に示すように、底面に略半球形の凹所６を形成し、中心位置に貫通孔８を穿設している。
貫通孔８は、前記ライン２が押し広げながら通過可能な直径、すなわちライン２がタイトな状態で通過可能な直径としている。ストッパ１の貫通孔８に、ライン２を通過させるには、ニードル、すなわち糸通し用の器具を使用してライン２を通過させ、ライン２にストッパ１を装着している。このように、タイトな状態にライン２を通過させたストッパ１は、ライン２とストッパ１の摩擦抵抗によって任意位置に係止し、係止部３とストッパ１の間に擬餌４を保持させることができる。
【００１９】
図示実施形態においては、ストッパ１の上方に中通し錘５を、自由に通過する状態に装着している。予め装着する中通し錘５及びストッパ１は、糸を折り返して形成するライン２の一端から挿入し、ライン２の一端に例えば道糸９を接続する。ライン２に中通し錘５を自由に通過する状態に装着することによって、使用状態において中通し錘５がストッパ１の上に移動し、その重量がストッパ１に掛かり擬餌４をより強く保持する作用がある。
ライン２の一部に形成する係止部３は、図示実施形態においては結び目によって形成しているが、例えばライン上に別部材を固定することによって形成するものであってもよい。
【００２０】
図２には、擬餌４の取り付け、あるいは取り換えの状況を示している。すなわち、ストッパ１を上方に移動させると、ストッパ１と係止部３の間に挟持させてあった擬餌４を取り除くことができる。先に装着されていた擬餌を取り除いた後に、新しく使用する擬餌４をストッパ１と係止部３の間の糸2aと2bの間を通して、ラバー4aやネクタイ4bといった細長い擬餌４を左右バランスよく支持させ、上方に移動させてあったストッパ１を、擬餌４を押圧するごとく下方に移動させることによって擬餌の取り換えが完了する。
【００２１】
図４は、ライン２に二つのストッパ１Ａ、１Ｂを装着し、複数位置において擬餌４を保持させた実施形態を示している。下位置のストッパ１Ａと結び目による係止部３の間に第一の擬餌群４Ａを保持させる。第一の擬餌群４Ａは、なるべく第一のストッパ1Ａの凹所６の、内周面の延長方向に広がって装着される。
ライン２には、上位置に第二のストッパ1Ｂを配置している。第二のストッパ１Ｂを上方に移動させた状態で、糸2ａ、2ｂの間に第二の擬餌群４Ｂを挿入し、第二のストッパ１Ｂを押し下げて、第一のストッパ１Ａと第二のストッパ１Ｂの間に第二の擬餌群４Ｂを保持させている。
【００２２】
第一のストッパ１Ａと第二のストッパ１Ｂの間に挟持される第二の擬餌群４Ｂは、第一のストッパ１Ａの上面に支持され、第二のストッパ１Ｂの底面で押圧されることになる。したがって、第二の擬餌群４Ｂは、前記第一の外側にあって、第二のストッパ１Ｂの上面の方向に広がって保持されることになる。
このようにすると、より多くの擬餌が重なって広がり、その中に針７が存在する状態が実現する。図４においては、二つのストッパ１Ａ、１Ｂを使用する状態を例示したが、ストッパを三個以上使用することも出来る。また、二個以上のストッパを一カ所の擬餌を保持するために使用する、すなわち擬餌の上に配置した複数のストッパとストッパの間に擬餌を配置しないで使用するものであってもよい。
【００２３】
図６は、ストッパの変形例を示すものである。図６(ａ)と図６(ｂ)は略円錐形状であって大きさの異なるもの、図６(ｃ)は、より小さなものであって中実形状のものを示している。図６(ａ)と図６(ｂ)は相似形であって下位置のストッパの上面が上位置のストッパの凹所６に入り込んで装着状態が安定する。
また、凹所６を形成することによって貫通孔８部分の厚みを調節する効果がある。すなわち、ストッパの材質、貫通孔の大きさ、貫通孔部分の厚み、ラインの直径によってストッパとラインの抵抗が決定されるため、操作し易くストッパを確実に係止させることができる厚みに調整することが可能である。
【００２４】
図７は、ストッパの別の実施形態を示す正面図である。図７(ａ)は、縦長の柱状であって、必然的にライン２との摩擦抵抗が大きくなり、より大きな擬餌の押圧効果を実現することができる。図７(ｂ)は前記図７(ａ)と比較して、底部の直径が大きくなっている。したがって、ラバーやネクタイといった擬餌そのものを押圧する効果がある。
【００２５】
ライン上に複数の、異なる形状、異なる大きさのストッパを用いて擬餌を保持させる場合に、ストッパ形状の選択によって擬餌の広がり、使用時における擬餌の沈下速度を調整することができる。そのため、本考案では、多様な使用状態を実現することができるため、鯛カブラだけでなく、種々の魚を対象とする種々のルアーとして実施することができる実益がある。
【符号の説明】
【００２６】
１…ストッパ、  ２…ライン、  2ａ、2ｂ…糸、  ３…係止部、  ４…擬餌、4ａ…ラバー、  4ｂ…ネクタイ、  ５…中通し錘、  ６…凹所、  ７…針、  ８…貫通孔、  ９…道糸、  １Ａ…第一のストッパ，  1Ｂ…第二のストッパ、  ４Ａ…第一の擬餌群、  ４Ｂ…第二の擬餌群。
【図１】
0003205903.tif 000003
【図２】
0003205903.tif 000004
【図３】
0003205903.tif 000005
【図４】
0003205903.tif 000006
【図５】
0003205903.tif 000007
【図６】
0003205903.tif 000008
【図７】
0003205903.tif 000009